(57)【特許請求の範囲】
【請求項１】
装置本体に着脱可能に構成され、現像剤を収容するカートリッジと、
前記カートリッジと対向するように配置される検知手段と、
前記検知手段により検知される被検知部であって、第１位置と、前記第１位置とは異なる第２位置とに移動される被検知部と、
前記検知手段の検知に基づいて前記装置本体に装着されたカートリッジが新品であると判断する判断手段と
を備え、
前記カートリッジは、
所定の移動量で移動する移動部材であって、前記装置本体からの駆動力が伝達される歯部と、前記駆動力が伝達されない欠け歯部とを含む欠け歯ギヤを有する移動部材と、
前記カートリッジが前記装置本体に装着された状態において前記移動部材の移動により、前記カートリッジの外部に設けられた被押圧部を押圧する押圧状態と、前記被押圧部に対する押圧を解除する押圧解除状態とに変位可能な押圧部材と
を備え、
前記カートリッジは、前記押圧部材が前記押圧解除状態から前記押圧状態に変位することにより、前記押圧部材が前記被押圧部を押圧することにより生じる反力によって、前記被押圧部から離れる方向に移動し、前記押圧部材が前記押圧状態から前記押圧解除状態に変位することにより、前記押圧部材による前記被押圧部に対する押圧が解除されることによって、前記被押圧部に近づく方向へ移動し、
前記被検知部は、前記カートリッジの前記被押圧部から離れる方向への移動に伴って、前記第１位置から前記第２位置へ移動し、前記カートリッジの前記被押圧部に近づく方向への移動に伴って、前記第２位置から前記第１位置へ移動し、
前記判断手段は、前記被検知部が前記第１位置から前記第２位置へ移動した後に前記第１位置へ移動したことを前記検知手段が検知した場合に、前記カートリッジの状態が新品であると判断することを特徴とする、画像形成装置。
【請求項２】
前記カートリッジは、前記装置本体から給電されるカートリッジ電極を有し、
前記装置本体は、前記カートリッジ電極に電気的に接続可能な本体電極であって、前記対向方向に移動可能な本体電極を有し、
前記被検知部は、前記本体電極に当接し、前記本体電極の移動に伴って、前記第１位置と前記第２位置との間を移動することを特徴とする、請求項１に記載の画像形成装置。
【請求項３】
前記被検知部は、前記カートリッジに設けられ、前記カートリッジの移動に伴って、前記第１位置と前記第２位置との間を移動することを特徴とする、請求項１に記載の画像形成装置。
【請求項４】
前記判断手段は、
所定時間内に、前記検知手段が、前記被検知部が前記第１位置に配置されたことを検知したときに、前記カートリッジが前記装置本体に装着されていると判断し、
所定時間内に、前記検知手段が、前記被検知部が前記第１位置に配置されたことを検知しなかったときに、前記カートリッジが前記装置本体から離脱されていると判断することを特徴とする、請求項１〜３のいずれか一項に記載の画像形成装置。
【請求項５】
前記押圧部材は、その前記対向方向一端部において、前記対向方向と直交する面を有することを特徴とする、請求項１〜４のいずれか一項に記載の画像形成装置。
【請求項６】
前記移動部材は、凸部と、前記凸部から前記対向方向他方側に凹む凹部とを有し、
前記凸部は、前記移動部材の前記押圧部材に対する移動方向下流側から前記移動方向上流側へ向かうに従って、前記対向方向一方側へ傾斜される傾斜面を有することを特徴とする、請求項１〜５のいずれか一項に記載の画像形成装置。
【請求項７】
前記移動部材は、回転可能に設けられていることを特徴とする、請求項１〜６のいずれか一項に記載の画像形成装置。
【請求項８】
前記移動部材は、直線移動可能に設けられていることを特徴とする、請求項１〜６のいずれか一項に記載の画像形成装置。
【請求項９】
前記押圧部材は、前記歯部に前記駆動力が伝達される前の状態で、前記押圧解除状態となっており、前記歯部に前記駆動力が伝達されることにより、一旦、前記押圧状態に変位され、その後、再び前記押圧解除状態に変位されることを特徴とする、請求項１〜８のいずれか一項に記載の画像形成装置。
【請求項１０】
前記カートリッジは、前記押圧部材を前記押圧解除状態となるように付勢する付勢部材を、さらに備えていることを特徴とする、請求項１〜９のいずれか一項に記載の画像形成装置。
【請求項１１】
前記カートリッジは、その前記対向方向一端部または前記対向方向他端部において、前記装置本体からの駆動力を受けるための駆動入力部を備え、
前記押圧部材は、前記対向方向に投影したときに、前記駆動入力部に対して前記対向方向と直交する直交方向一方側に配置される第１押圧部材と、前記駆動入力部を挟むように前記駆動入力部に対して前記直交方向他方側に配置される第２押圧部材とを有していることを特徴とする、請求項１〜１０のいずれか一項に記載の画像形成装置。
【発明の詳細な説明】
【技術分野】
【０００１】
本発明は、電子写真方式が採用される画像形成装置に関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための新品検出手段を備えている。
【０００４】
このような新品検知手段として、例えば、現像カートリッジの側面に、導電性の合成樹脂板からなり、本体フレーム内のアクチュエータに当接される検知突起を備える新旧判別部材が提案されている（たとえば、下記特許文献１参照。）。
【０００５】
この新旧判別部材は、ギヤカバーによって被覆されており、新品位置から旧品位置へ不可逆に変位可能である。そして、検知突起は、新旧判別部材が新品位置にあるときには、ギヤカバー内に収容されており、プリンタ内の駆動源から現像カートリッジに駆動力が入力されると、新旧判別部材が新品位置から旧品位置に変位され、ギヤカバーの開口部から露出される。
【先行技術文献】
【特許文献】
【０００６】
【特許文献１】特開２００７−７９２８４号公報
【発明の概要】
【発明が解決しようとする課題】
【０００７】
しかるに、上記した特許文献１に記載のプリンタでは、本体フレーム内のアクチュエータを配置する場所が、旧品位置において、検知突起をアクチュエータに当接させる位置に設けなければならない。
【０００８】
つまり、検知突起は、現像カートリッジにおいて、駆動力が新旧判断部材に伝達される限られた範囲内に配置しなければならず、さらに、アクチュエータは、プリンタにおいて、その検知突起に当接する限られた範囲内に配置しなければならず、画像形成装置の設計の自由度が低くなる場合がある。
【０００９】
そこで、本発明の目的は、設計の自由度を高めることができる画像形成装置を提供することにある。
【課題を解決するための手段】
【００１０】
（１）上記した目的を達成するために、本発明の画像形成装置は、装置本体に着脱可能に構成され、現像剤を収容するカートリッジと、カートリッジと対向するように配置される検知手段と、検知手段により検知される被検知部であって、第１位置と、第１位置とは異なる第２位置とに移動される被検知部と、検知手段の検知に基づいて装置本体に装着されたカートリッジが新品であると判断する判断手段とを備える。
【００１１】
カートリッジは、所定の移動量で移動する移動部材と、カートリッジが装置本体に装着された状態において移動部材の移動により、カートリッジの外部に設けられた被押圧部を押圧する押圧状態と、被押圧部に対する押圧を解除する押圧解除状態とに変位可能な押圧部材とを備える。
【００１２】
カートリッジは、押圧部材が押圧解除状態から押圧状態に変位することにより、押圧部材が被押圧部を押圧することにより生じる反力によって、被押圧部から離れる方向に移動し、押圧部材が押圧状態から押圧解除状態に変位することにより、押圧部材による被押圧部に対する押圧が解除されることによって、被押圧部に近づく方向へ移動する。
被検知部は、カートリッジの被押圧部から離れる方向への移動に伴って、第１位置から第２位置へ移動し、カートリッジの被押圧部に近づく方向への移動に伴って、第２位置から第１位置へ移動する。
判断手段は、被検知部が第１位置から第２位置へ移動した後に第１位置へ移動したことを検知手段が検知した場合に、カートリッジの状態が新品であると判断する。
【００１３】
このような構成によれば、被検知部は、押圧部材が被押圧部を押圧することにより生じる反力によって、第１位置から第２位置へ移動される。
【００１４】
そのため、押圧部材と被押圧部とを対向配置すれば、押圧部材が被押圧部を押圧することにより生じる反力により、被検知部を移動させることができる。
【００１５】
これにより、被検知部を移動させるための構成を、被検知部の近傍に設ける必要がなく、被検知部の配置の自由度を向上させることができ、ひいては、被検知部を検知する検知手段の配置の自由度も向上させることができる。
【００１６】
その結果、画像形成装置の設計の自由度を高めることができる。
（２）また、カートリッジは、装置本体から給電されるカートリッジ電極を有してもよい。装置本体は、カートリッジ電極に電気的に接続可能な本体電極であって、対向方向に移動可能な本体電極を有してもよい。被検知部は、本体電極に当接し、本体電極の移動に伴って、第１位置と第２位置との間を移動してもよい。
【００１７】
この場合、判断手段は、被検知部の第１位置と第２位置との間の移動に伴って本体電極が移動した場合に、カートリッジの状態が新品であると判断する。
【００１８】
このような構成によれば、カートリッジ電極に給電するための本体電極を利用して、カートリッジの状態を判断することができる。
【００１９】
そのため、カートリッジの状態を判断するための部材を別途設けることなく、カートリッジの部品点数を低減することができる。
（３）また、判断手段は、所定時間内に、検知手段が、被検知部が第１位置に配置されたことを検知したときに、カートリッジが装置本体に装着されていると判断し、所定時間内に、検知手段が、被検知部が第１位置に配置されたことを検知しなかったときに、カートリッジが装置本体から離脱されていると判断してもよい。
【００２０】
このような構成によれば、本体電極の位置を検知することにより、簡易な構成で、装置本体内におけるカートリッジの有無を検知することができる。
（４）また、押圧部材は、その対向方向一端部において、対向方向と直交する面を有してもよい。
【００２１】
このような構成によれば、被押圧部を、押圧部材によって安定して押圧させることができる。
（５）また、移動部材は、凸部と、凸部から対向方向他方側に凹む凹部とを有してもよい。
【００２２】
この場合、凸部は、移動部材の押圧部材に対する移動方向下流側から移動方向上流側へ向かうに従って、対向方向一方側へ傾斜される傾斜面を有してもよい。
【００２３】
このような構成によれば、簡易な構成で、押圧部材を対向方向に移動させることができる。
【００２４】
また、押圧部材を、傾斜面に沿うように対向方向に移動させることができ、対向方向に円滑に移動させることができる。
（６）また、移動部材は、装置本体からの駆動力が伝達される歯部と、駆動力が伝達されない欠け歯部とを含む欠け歯ギヤを有してもよい。
【００２５】
このような構成によれば、移動部材を、確実に、所定の移動量で移動させることができる。
（７）また、移動部材は、回転可能に設けられていてもよい。
【００２６】
このような構成によれば、簡易な構成で確実に、押圧部材を移動させることができる。
（８）また、移動部材は、直線移動可能に設けられていてもよい。
【００２７】
このような構成によれば、簡易な構成で確実に、押圧部材を移動させることができる。
（９）また、押圧部材は、歯部に駆動力が伝達される前の状態で、押圧解除状態となっており、歯部に駆動力が伝達されることにより、一旦、押圧状態に変位され、その後、再び押圧解除状態に変位されてもよい。
【００２８】
このような構成によれば、移動部材が所定の駆動量で移動されている間に、押圧部材を、押圧状態と押圧解除状態とに変位させることができる。
（１０）また、カートリッジは、押圧部材を押圧解除状態となるように付勢する付勢部材を、さらに備えていてもよい。
【００２９】
このような構成によれば、押圧部材を確実に押圧解除状態に変位にさせることができる。
（１１）また、カートリッジは、その対向方向一端部または対向方向他端部において、装置本体からの駆動力を受けるための駆動入力部を備えてもよい。
【００３０】
この場合、押圧部材は、対向方向に投影したときに、駆動入力部に対して対向方向と直交する直交方向一方側に配置される第１押圧部材と、駆動入力部を挟むように駆動入力部に対して直交方向他方側に配置される第２押圧部材とを有していてもよい。
【００３１】
このような構成によれば、第１押圧部材および第２押圧部材によって、被押圧部を直交方向に均一に押圧することができる。
（１２）また、本発明のカートリッジによれば、現像剤を収容するように構成され、第１側壁と、第１側壁の一方側に間隔を隔てて対向配置される第２側壁とを含む筐体と、第１側壁または第２側壁に設けられ、外部からの駆動力を受けるための駆動入力部とを備える。
【発明の効果】
【００３７】
本発明の画像形成装置によれば、被検知部の配置の自由度、および、被検知部を検知する検知手段の配置の自由度を向上させて、設計の自由度を高めることができる。
【図面の簡単な説明】
【００３８】
【図１】図１は、本発明の画像形成装置の第１実施形態としてのプリンタの中央断面図を示す。
【図２】図２は、図１に示す現像カートリッジを示し、（ａ）は、現像カートリッジ全体の右前側から見た斜視図であり、（ｂ）は、現像カートリッジの左端部の左前側から見た斜視図である。
【図３】図３は、図２に示す現像カートリッジの右前側から見た斜視図であり、給電カバーを外した状態を示す。
【図４】図４は、図３に示す移動部材を示し、（ａ）は、右側から見た斜視図であり、（ｂ）は、左側から見た斜視図である。
【図５】図５は、新品検知動作における押圧部材の進退を説明するための説明図であって、（ａ）は、ウォームアップ動作が開始される前の状態（押圧部材：押圧解除位置）を示し、（ｂ）は、ウォームアップ動作の途中の状態（押圧部材：押圧位置）を示す。
【図６】図６は、新品検知動作におけるカートリッジ電極、本体電極およびアクチュエータの移動を説明するための説明図であって、（ａ）は、ウォームアップ動作が開始される前の状態（カートリッジ電極：第１位置、本体電極：退避位置、アクチュエータ：遮光位置）を示し、（ｂ）は、ウォームアップ動作の途中の状態（カートリッジ電極：第２位置、本体電極：進出位置、アクチュエータ：非遮光位置）を示す。
【図７】図７は、第２実施形態における新品検知動作を説明する説明図であって、（ａ）は、ウォームアップ動作が開始される前の状態（押圧部材：押圧解除位置）を示し、（ｂ）は、ウォームアップ動作の途中の状態（押圧部材：押圧位置）を示す。（ｃ）は、ウォームアップ動作が終了された状態（押圧部材：押圧解除位置）を示す。
【図８】図８は、第３実施形態における押圧部材の進退を説明する説明図である。
【図９】図９は、第４実施形態における押圧部材を説明する説明図であって、（ａ）は、現像カートリッジ全体を示し、（ｂ）は、（ａ）の移動部材および押圧部材を示す。
【図１０】図１０は、第５実施形態における現像カートリッジを説明する説明図である。
【図１１】図１１は、図１０に示す現像カートリッジの新品検知動作を説明する説明図であって、（ａ）は、ウォームアップ動作が開始される前の状態（押圧部材：押圧解除位置、遮光板：第１位置）を示し、（ｂ）は、ウォームアップ動作の途中の状態（押圧部材：押圧位置、遮光板：第２位置）を示す。
【図１２】図１２は、第５実施形態の遮光板の変形例（遮光板に長穴を形成しない場合）を説明する説明図であって、（ａ）は、遮光板が第１位置に配置されている状態を示し、（ｂ）は、遮光板が第２位置に配置されている状態を示す。
【図１３】図１３は、第５実施形態の遮光板の変形例（透光板にミラーを備える場合）を説明する説明図であって、（ａ）は、透光板が第１位置に配置されている状態を示し、（ｂ）は、透光板が第２位置に配置されている状態を示す。
【図１４】現像カートリッジを右側へ押圧する構成の変形例を説明する説明図であって、ドラムカートリッジの側壁に現像カートリッジを右側へ付勢する当接部材を設けた状態を示す。
【発明を実施するための形態】
【００３９】
１．プリンタの全体構成
図１に示すように、画像形成装置の一例としてのプリンタ１は、横置きタイプのダイレクトタンデム型カラープリンタである。
【００４０】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００４１】
プリンタ１は、略ボックス形状の装置本体の一例としての本体ケーシング２を備えている。本体ケーシング２の上端部には、本体開口部５を開閉するトップカバー６が、その後端部を支点として揺動可能に設けられている。プリンタ１は、各色に対応する４つのプロセスカートリッジ１１を備えている。
【００４２】
各プロセスカートリッジ１１は、本体ケーシング２内に着脱可能に設けられ、互いに前後方向に沿って間隔を隔てて並列配置されている。各プロセスカートリッジ１１は、ドラムカートリッジ２４と、ドラムカートリッジ２４に着脱可能に装着されるカートリッジの一例としての現像カートリッジ２５とを備えている。
【００４３】
ドラムカートリッジ２４は、感光ドラム１５を備えている。
【００４４】
感光ドラム１５は、左右方向に長手の円筒形状に形成されており、ドラムカートリッジ２４に回転可能に設けられている。
【００４５】
現像カートリッジ２５は、現像ローラ１６を備えている。
【００４６】
現像ローラ１６は、左右方向に延びる金属製の現像ローラ軸３０を備え、現像カートリッジ２５の後端部において後側から露出されるように設けられ、感光ドラム１５に対して前上側から接触されている。
【００４７】
また、現像カートリッジ２５は、現像ローラ１６にトナーを供給する供給ローラ２７、現像ローラ１６に供給されたトナーの厚みを規制する層厚規制ブレード２８を備え、それらの上側に設けられるトナー収容部４６内には、現像剤の一例としてのトナーが収容され、トナーを攪拌するためのアジテータ４７が設けられている。アジテータ４７は、左右方向に延びるアジテータ軸４８と、アジテータ軸４８からアジテータ軸４８の径方向外側に延びる攪拌羽根４９とを備えている。
【００４８】
トナー収容部４６内のトナーは、供給ローラ２７と現像ローラ１６との間で正極性に摩擦帯電され、層厚規制ブレード２８により、一定厚さの薄層として現像ローラ１６の表面に担持される。
【００４９】
一方、各感光ドラム１５の表面には、スコロトロン型帯電器２６によって一様に帯電された後、ＬＥＤユニット１２によって所定の画像データに基づいて露光されることにより、画像データに基づく静電潜像が形成される。そして、現像ローラ１６に担持されるトナーが各感光ドラム１５の表面上の静電潜像に供給されることにより、感光ドラム１５の表面上にトナー像（現像剤像）が担持される。
【００５０】
用紙Ｓは、本体ケーシング２の底部に設けられる給紙トレイ７内に収容されており、ピックアップローラ８、給紙ローラ９、および、１対のレジストローラ１０によって、後上側へＵターンするように搬送されて、所定のタイミングで１枚ずつ、感光ドラム１５と搬送ベルト１９との間に給紙される。そして、搬送ベルト１９によって、各感光ドラム１５と各転写ローラ２０との間を前側から後側に向かって搬送される。このとき、用紙Ｓに、各色のトナー像が順次転写され、カラー画像が形成される。
【００５１】
そして、用紙Ｓは、加熱ローラ２１と加圧ローラ２２との間を通過するときに加熱および加圧される。このとき、用紙Ｓには、カラー画像が熱定着される。
【００５２】
その後、用紙Ｓは、前上側へＵターンするように搬送されて、トップカバー６に設けられる排紙トレイ２３に排紙される。
２．現像カートリッジの詳細
現像カートリッジ２５は、図２および図３に示すように、筐体の一例としてのカートリッジフレーム３１と、カートリッジフレーム３１の左側に配置される駆動ユニット３２と、カートリッジフレーム３１の右側に配置される給電ユニット３３とを備えている。
【００５３】
なお、現像カートリッジ２５の説明において、方向について言及するときには、現像ローラ１６が配置されている側を現像カートリッジ２５の後側とし、層厚規制ブレード２８が配置されている側を上側とする。すなわち、現像カートリッジ２５に関する上下前後方向は、プリンタ１に関する上下前後方向と相異なり、現像カートリッジ２５は、その後側がプリンタ１の後下側、その前側がプリンタ１の前上側となるように、プリンタ１およびドラムカートリッジ２４に装着されている。
（１）カートリッジフレーム
カートリッジフレーム３１は、左右方向（対向方向）に延びる略ボックス形状に形成されている。カートリッジフレーム３１は、左右１対の側壁３４、前壁３５、下壁３６および上壁３７を備えている。なお、以下の説明において、第１側壁の一例としての左側の側壁３４を左壁３４Ｌとし、第２側壁の一例としての右側の側壁３４を右壁３４Ｒとする。
【００５４】
両側壁３４は、上下前後に延びる側面視略矩形状に形成され、互いに左右方向に間隔を隔てて対向配置されている。また、両側壁３４には、アジテータ軸露出穴３８が形成されている。
【００５５】
アジテータ軸露出穴３８は、側壁３４の前後方向略中央において、側面視略円形状に貫通形成されている。アジテータ軸露出穴３８の直径は、アジテータ軸４８の左右方向端部の直径よりも大径に形成されている。そして、アジテータ軸４８の左右方向端部は、アジテータ軸露出穴３８を介して、側壁３４から左右方向外側へ露出されている。アジテータ軸４８の左右方向両端部には、アジテータギヤ４５が相対回転不能に支持されている。
【００５６】
前壁３５は、左右方向に延び、両側壁３４の前端部間に架設されている。
【００５７】
下壁３６は、左右方向に延び、前壁３５の下端部に連続するように、両側壁３４の下端部間に架設されている。
【００５８】
上壁３７は、左右方向に延び、前壁３５の上端部に連続するように、両側壁３４の上端部間に架設されている。上壁３７の後端部には、層厚規制ブレード２８が、現像ローラ１６に上側から接触されるように配置されている。
（２）駆動ユニット
駆動ユニット３２は、図２に示すように、駆動側カバー４１を備えている。
【００５９】
駆動側カバー４１は、左右方向に延び、左端部が閉鎖された略角筒形状に形成され、現像カートリッジ２５の左端部を被覆している。駆動側カバー４１には、カラー部４２が設けられている。
【００６０】
カラー部４２は、駆動側カバー４１の前後方向略中央の左壁から左側へ突出する略円筒形状に形成されている。なお、カラー部４２の右端部は、駆動側カバー４１内に連通されている。
【００６１】
そして、カラー部４２内には、左右方向に延びる略円柱形状の駆動入力部の一例としての現像カップリング３９が相対回転可能に支持されている。現像カップリング３９の左端部は、カラー部４２の左端部から左側へ露出されている。現像カップリング３９の左端部には、本体ケーシング２内の本体カップリング（図示せず）が相対回転不能に嵌合され、本体カップリング（図示せず）を介して、本体ケーシング２から駆動力が入力される。現像カップリング３９に入力された駆動力は、ギヤ列（図示せず）を介して、現像ローラ１６の現像ローラ軸３０、供給ローラ２７の供給ローラ軸、および、アジテータ軸４８に伝達される。
（３）給電ユニット
給電ユニット３３は、図２および図３に示すように、軸受部材５１、カートリッジ電極５２、移動部材５３、押圧部材５０および給電側カバー５４を備えている。
（３−１）軸受部材
軸受部材５１は、現像カートリッジ２５の後端部において、右壁３４Ｒの右側に組み付けられており、導電性の樹脂材料などから側面視略矩形の平板形状に形成されている。軸受部材５１は、現像ローラ軸支持部５５と、電極支持部５６とを備えている。
【００６２】
現像ローラ軸支持部５５は、軸受部材５１の後端部に配置され、軸受部材５１の右面から右側へ延びる略円筒形状に形成されている。現像ローラ軸支持部５５の内径は、現像ローラ軸３０の右端部と略同径（わずかに大径）に形成されている。なお、軸受部材５１には、現像ローラ軸支持部５５と中心軸線を共有するように、現像ローラ軸支持部５５の内径と同径の開口（図示せず）が形成されている。そして、現像ローラ軸３０は、その右端部において、現像ローラ軸支持部５５内に回転可能に支持されている。
【００６３】
電極支持部５６は、軸受部材５１の前端部に配置され、軸受部材５１の右面から右側へ突出し、上下方向に延びる略平板形状に形成されている。電極支持部５６の右端部には、カートリッジ電極５２を係止する係止ボス５７が設けられている。
【００６４】
係止ボス５７は、電極支持部５６の右端面から右側へ突出する略円柱形状に形成されている。係止ボス５７は、上下方向に互いに間隔を隔てて対向配置されている。
（３−２）カートリッジ電極
カートリッジ電極５２は、図３に示すように、金属などの剛性と導電性とを兼ね備えた材料からなり、被給電部７２と、被係止部７１とを一体的に備えている。
【００６５】
被給電部７２は、前後方向（直交方向）に延び、その前後方向両端部が左側へ屈曲（または湾曲）されるように、左側が開放された平面視略Ｕ字形状に形成されている。詳しくは、被給電部７２は、前後方向に延びる側面視略矩形状の本体部７３と、本体部７３の前後方向両端部から左側へそれぞれ延びる２つの脚部７５とを一体的に備えている。なお、本体部７３の前後方向略中央には、本体電極８１（後述）が接触される（図６（ｂ）参照）。
【００６６】
被係止部７１は、被給電部７２の後端部において、互いに上下方向に間隔を隔てて１つずつ配置されている。被係止部７１は、被給電部７２の後端部（直交方向一端部、具体的には、後側の脚部７５）の左端部から連続して後側へ延びる略杆形状に形成されている。被係止部７１の上下方向長さは、被給電部７２の上下方向長さよりも短い。また、被係止部７１の後端部には、軸受部材５１の係止ボス５７が嵌合される嵌合穴７４が貫通形成されている。
【００６７】
そして、カートリッジ電極５２は、その嵌合穴７４内に係止ボス５７が嵌合されることにより、軸受部材５１の電極支持部５６に係止されている。
（３−３）移動部材
移動部材５３は、図３および図４に示すように、アジテータギヤ４５の後側に配置されている。移動部材５３は、ベース部６１、凸部６５および欠け歯ギヤ６４を一体的に備えている。
【００６８】
ベース部６１は、左右方向に厚みを有し、中心部分に貫通穴が形成された略円板形状に形成されている。
【００６９】
凸部６５は、ベース部６１の右面から右側へ膨出するように、ベース部６１の周方向に沿って延び、中心角が約９０°の平面視略扇形状に形成されている。すなわち、凸部６５の両側（右側面視反時計回り方向における上流側および下流側）は、凸部６５から左側（対向方向他方側）に凹んでおり、それぞれ、凹部６６として機能する。
【００７０】
凸部６５の右側面視反時計回り方向下流側の第１端面６７は、右側面視反時計回り方向において下流側から上流側へ向かうに従って、右側へ傾斜されており、傾斜面として機能する。また、凸部６５の右側面視反時計回り方向上流側の第２端面６８は、右側面視反時計回り方向において下流側から上流側へ向かうに従って、左側へ傾斜されている。
【００７１】
欠け歯ギヤ６４は、ベース部６１と中心軸線を共有するように、ベース部６１の左面から左側へ延びる略円筒形状に形成されている。欠け歯ギヤ６４の周面には、中心角が約２７０°をなす部分にギヤ歯が形成されている。なお、欠け歯ギヤ６４において、ギヤ歯が形成されている部分が歯部６９であり、ギヤ歯が形成されていない部分が欠け歯部７０である。
【００７２】
そして、移動部材５３は、右壁３４Ｒの右側において、ベース部６１の中心軸線を中心として、回転可能に支持されている。
【００７３】
また、現像カートリッジ２５が新品（未使用）の状態では、移動部材５３の欠け歯ギヤ６４は、歯部６９の右側面視反時計回り方向下流側端部において、アジテータギヤ４５に前側から噛合されている。
【００７４】
この状態において、凸部６５は、移動部材５３の後端部に配置されている。
（３−４）押圧部材
押圧部材５０は、図３および図５に示すように、軸部７６とフランジ部７７とを備えている。
【００７５】
軸部７６は、左右方向に延びる略円柱形状に形成されている。また、軸部７６の右面４０は、左右方向に直交するように、前後上下に延びている。
【００７６】
フランジ部７７は、軸部７６の左端部に設けられ、軸部７６の外周面から径方向外側へ突出するように、軸部７６と中心軸線を共有する側面視略円形状に形成されている。
【００７７】
そして、軸部７６は、移動部材５３と給電側カバー５４との間において、給電側カバー５４の押圧部材露出開口５９（後述）に対向されるように、配置されている。
【００７８】
これにより、押圧部材５０は、軸部７６の左端部が移動部材５３の凹部６６に対向されるとともに、軸部７６の右端部が給電側カバー５４の押圧部材露出開口５９（後述）から左側へ突出しない押圧解除位置（図５（ａ）参照）と、軸部７６の左端部が移動部材５３の凸部６５に対向されるとともに、軸部７６の右端部が給電側カバー５４の押圧部材露出開口５９（後述）から左側へ突出する押圧位置（図５（ｂ）参照）とに移動可能である。
【００７９】
そして、押圧部材５０には、フランジ部７７よりも右側の軸部７６に巻回されるように、左右方向に延びる略コイル形状の付勢部材の一例としての圧縮ばね７８が、遊びを有して嵌合（押圧部材５０の径方向外側から嵌合）されている。
【００８０】
なお、圧縮ばね７８は、フランジ部７７の右面と、給電側カバー５４の左面との間に介在されている。これにより、押圧部材５０は、常には、左側へ付勢されている。
（３−５）給電側カバー
給電側カバー５４は、図２に示すように、右端部が閉鎖された側面視略矩形の枠形状に形成されている。給電側カバー５４は、カートリッジ電極５２および移動部材５３を収容するように、現像カートリッジ２５の右端部を被覆している。給電側カバー５４には、電極露出開口５８と、押圧部材露出開口５９とが形成されている。
【００８１】
電極露出開口５８は、給電側カバー５４の前端部において、側面視略矩形状に貫通形成されている。
【００８２】
現像カートリッジ２５が新品（未使用）の状態において、カートリッジ電極５２は、その本体部７３の右面が給電側カバー５４の右面と略面一になるように、電極露出開口５８から露出される。
【００８３】
押圧部材露出開口５９は、給電側カバー５４の後端部において、電極露出開口５８の後側に配置され、側面視略円形状に貫通形成されている。また、押圧部材露出開口５９の直径は、押圧部材５０の軸部７６の直径よりも大径である。
３．ドラムカートリッジ
ドラムカートリッジ２４は、図６に示すように、現像カートリッジ２５を収容可能な左右方向に長手の平面視略矩形枠形状に形成されている。
【００８４】
ドラムカートリッジ２４は、左右１対の側板４３を備えている。
【００８５】
両側板４３は、現像カートリッジ２５の左右方向外側に対向配置されている。また、側板４３は、左右方向に厚みを有し、前後方向に延びる略平板形状に形成されている。なお、右側の側板４３は、現像カートリッジ２５の右側に対向される被押圧部として機能する。また、側板４３には、現像カップリング３９またはカートリッジ電極５２を左右方向外側へ露出する露出溝４４が形成されている。
【００８６】
露出溝４４は、側板４３の前後方向略中央において、上側から下側へ切欠かれるように、側面視略Ｕ字形状に形成されている。
【００８７】
なお、ドラムカートリッジ２４は、現像カートリッジ２５を、左右方向にわずかにスライド可能に収容している。
４．本体ケーシング
本体ケーシング２内には、図６に示すように、本体電極８１と、アクチュエータ８２と、フォトセンサ８３と、判断手段の一例としてのＣＰＵ８４とが設けられている。
【００８８】
本体電極８１は、本体ケーシング２内において現像カートリッジ２５の右側近傍に設けられ、金属から左右方向に延びる略円柱形状に形成されている。本体電極８１は、本体ケーシング２に、左側へ進出された進出位置（図６（ｂ）参照）と、進出位置から右側へ退避された退避位置（図６（ａ）参照）とに、左右方向にスライド可能に支持され、本体ケーシング２内の電源（図示せず）に電気的に接続されている。
【００８９】
アクチュエータ８２は、上下方向に延びる略円筒形状の揺動軸８５と、揺動軸８５から前側に延びる当接レバー８６と、揺動軸８５から後側に延びる遮光レバー８７とを一体的に備えている。遮光レバー８７には、その後端部から下側へ延びる遮光板８８が設けられている。
【００９０】
そして、アクチュエータ８２は、当接レバー８６が本体電極８１の右端部に当接するように、現像カートリッジ２５の右側近傍において、揺動軸８５を支点として、本体ケーシング２に揺動可能に支持されている。
【００９１】
アクチュエータ８２は、当接レバー８６が前左側に延び、遮光レバー８７が後右側に延びる非遮光位置（図６（ｂ）参照）と、当接レバー８６および遮光レバー８７が前後方向に沿う遮光位置（図６（ａ）参照）とに揺動可能に設けられている。アクチュエータ８２は、ばねなどの付勢手段（図示せず）により、常には、非遮光位置に配置されるように、平面視時計回り方向に付勢されている。
【００９２】
フォトセンサ８３は、検知光を発光する発光素子８９と、発光素子８９の後側に間隔を隔てて対応配置され、検知光を受光する受光素子９０とを備えている。フォトセンサ８３は、遮光位置におけるアクチュエータ８２の遮光板８８を、発光素子８９と受光素子９０とで前後方向から挟むように、アクチュエータ８２の後側に配置されている。フォトセンサ８３は、本体電極８１およびアクチュエータ８２とともに、検知手段を構成する。
【００９３】
そして、アクチュエータ８２が遮光位置に配置されているときには、アクチュエータ８２の遮光板８８が発光素子８９と受光素子９０との間に介在されて、フォトセンサ８３の発光素子８９からの検知光が、遮光レバー８７の遮光板８８により遮光される。
【００９４】
一方、アクチュエータ８２が非遮光位置に配置されているときには、アクチュエータ８２の遮光板８８が発光素子８９と受光素子９０との間から右側へ退避されて、フォトセンサ８３の発光素子８９からの検知光が、受光素子９０によって受光される。すると、フォトセンサ８３からオン信号が出力される。
【００９５】
ＣＰＵ８４は、本体ケーシング２内に設けられ、フォトセンサ８３からのオン信号を受信可能に、フォトセンサ８３に電気的に接続されている。
５．現像カートリッジの新品検知動作
以下、現像カートリッジ２５の新品検知動作を説明する。
【００９６】
まず、本体ケーシング２内にプロセスカートリッジ１１が装着されていないときには、アクチュエータ８２が付勢手段（図示せず）の付勢力によって非遮光位置に配置されて、本体電極８１が進出位置に配置されている。これにより、フォトセンサ８３は、ＣＰＵ８４にオン信号を発信する。
【００９７】
すると、ＣＰＵ８４は、フォトセンサ８３からオン信号を受信したことにより、本体電極８１が進出位置に配置されていると判断する。
【００９８】
そして、ＣＰＵ８４は、この状態（本体電極８１が進出位置に配置されている状態）で、所定時間が経過すると（すなわち、所定時間内にフォトセンサ８３からのオン信号が停止されないと）、現像カートリッジ２５が本体ケーシング２から離脱されていると判断する。
【００９９】
そして、本体ケーシング２のトップカバー６を開放して、新品（未使用）の現像カートリッジ２５が装着されたプロセスカートリッジ１１を本体ケーシング２に前上側から挿入すると、図６（ａ）に示すように、カートリッジ電極５２の本体部７３が左側から本体電極８１の左端部に接触される。
【０１００】
すると、アクチュエータ８２の付勢手段（図示せず）の付勢力に抗して、本体電極８１が右側へ押圧されて退避位置に配置され、アクチュエータ８２が平面視反時計回り方向に揺動されて遮光位置に配置される。
【０１０１】
これにより、フォトセンサ８３は、ＣＰＵ８４に対するオン信号の発信を停止する。すなわち、フォトセンサ８３は、本体電極８１およびアクチュエータ８２を介して、カートリッジ電極５２が第１位置に配置されていることを検知する。
【０１０２】
すると、ＣＰＵ８４は、フォトセンサ８３からのオン信号が途切れたことにより、本体電極８１が進出位置から退避位置へ移動されたと判断する。
【０１０３】
そして、現像カートリッジ２５が本体ケーシング２に装着されると、本体ケーシング２内の本体カップリング（図示せず）が駆動ユニット３２の現像カップリング３９に相対回転不能に嵌合される。
【０１０４】
すると、現像カートリッジ２５は、本体カップリング（図示せず）によって右側へ押圧されて、ドラムカートリッジ２４の右側の側板４３に対して位置決めされる。なお、同時に、ドラムカートリッジ２４の右側の側板４３は、本体ケーシング２の右側壁８０に対して位置決めされる。
【０１０５】
そして、本体カップリング（図示せず）を介して、現像カップリング３９に本体ケーシング２から駆動力が入力され、ウォーミングアップ動作が開始される。
【０１０６】
すると、現像カップリング３９から、ギヤ列（図示せず）を介して、アジテータ軸４８に駆動力が伝達され、アジテータ４７が回転される。
【０１０７】
そして、アジテータ４７が回転されると、図３に示すように、アジテータ軸４８およびアジテータギヤ４５を介して、移動部材５３の欠け歯ギヤ６４の歯部６９に駆動力が伝達され、移動部材５３が右側面視反時計回りに回転される。
【０１０８】
すると、図５（ａ）および図５（ｂ）に示すように、押圧部材５０は、圧縮ばね７８の付勢力に抗して、軸部７６の右端部が給電側カバー５４の押圧部材露出開口５９から突出するように、凹部６６から凸部６５の第１端面６７の傾斜に沿って凸部６５に乗り上げて、押圧位置に配置される。
【０１０９】
これにより、図６（ｂ）に示すように、押圧部材５０は、軸部７６の右端部において、ドラムカートリッジ２４の右側の側板４３の内面を押圧する。
【０１１０】
すると、ドラムカートリッジ２４の右側の側板４３からの反力により、押圧部材５０の右端部が左側へ押圧されることにより、本体カップリング（図示せず）からの押圧力に抗して、現像カートリッジ２５が全体的に左側へ移動される。これにより、カートリッジ電極５２は、左側へ移動されて、第２位置に配置される。
【０１１１】
同時に、アクチュエータ８２の付勢手段（図示せず）の付勢力により、本体電極８１が左側へ押圧されて進出位置に配置され、アクチュエータ８２が遮光位置から平面視時計回り方向に揺動されて非遮光位置に配置される。
【０１１２】
これにより、フォトセンサ８３は、ＣＰＵ８４に対してオン信号を発信する。すなわち、フォトセンサ８３は、本体電極８１およびアクチュエータ８２を介して、カートリッジ電極５２が第１位置に配置されたことを検知する。
【０１１３】
すると、ＣＰＵ８４は、フォトセンサ８３からのオン信号が途切れたことにより、本体電極８１が進出位置から退避位置へ移動されたと判断する。
【０１１４】
そして、さらに移動部材５３が右側面視反時計回りに回転されると、押圧部材５０は、移動部材５３の凸部６５から、右側面視時計回り方向に相対移動され、凸部６５の右側面視反時計回り方向上流側の凹部６６に対向される。つまり、カートリッジ電極５２は、凹部６６の凹みの分、左側への移動が許容される。
【０１１５】
そして、押圧部材５０は、圧縮ばね７８の付勢力により左側へ押圧されて、第２端面６８の傾斜に沿って凹部６６内に受け入れられるように左側へ移動されて、押圧解除位置に配置される。
【０１１６】
これにより、図６（ａ）に示すように、押圧部材５０は、ドラムカートリッジ２４の右側の側板４３に対する押圧を解除する。
【０１１７】
すると、現像カートリッジ２５は、本体カップリング（図示せず）によって右側へ押圧されて、再び、ドラムカートリッジ２４の右側の側板４３に対して位置決めされる。これにより、カートリッジ電極５２は、右側へ移動されて第１位置に配置される。
【０１１８】
同時に、アクチュエータ８２の付勢手段（図示せず）の付勢力に抗して、本体電極８１が右側へ押圧されて退避位置に配置され、アクチュエータ８２が非遮光位置から平面視反時計回り方向に揺動されて遮光位置に配置される。
【０１１９】
これにより、フォトセンサ８３は、ＣＰＵ８４に対するオン信号の出力を停止する。すなわち、フォトセンサ８３は、本体電極８１およびアクチュエータ８２を介して、カートリッジ電極５２が第１位置に配置されたことを検知する。
【０１２０】
すると、ＣＰＵ８４は、フォトセンサ８３からのオン信号が停止したことにより、本体電極８１が進出位置から退避位置へ移動されたと判断する。
【０１２１】
そして、さらに移動部材５３が右側面視反時計回りに回転されると、移動部材５３の欠け歯部７０がアジテータギヤ４５に対向されて、移動部材５３の歯部６９とアジテータギヤ４５との噛合が解除され、移動部材５３の回転駆動が停止され、ウォーミングアップ動作が終了する。
【０１２２】
そして、本体ケーシング２内の電源（図示せず）から本体電極８１を介してカートリッジ電極５２に現像バイアス（電力）が供給されると、軸受部材５１を介して、現像ローラ軸３０に現像バイアスが供給される。
【０１２３】
そして、ＣＰＵ８４は、ウォーミングアップ動作が開始された後に、本体電極８１が退避位置から進出位置へ移動され、その後、再び退避位置に移動されたと判断したときに、現像カートリッジ２５が新品（未使用）であると判断する。
【０１２４】
その結果、新品の現像カートリッジ２５が装着されると、ＣＰＵ８４は、その現像カートリッジ２５が新品であると判断し、その現像カートリッジ２５の装着時から実際の画像形成枚数を計測して、実際の画像形成枚数が、その現像カートリッジ２５の規定の画像形成枚数（例えば、６０００枚）を超える直近に、図示しない操作パネルなどに、現像カートリッジ２５の交換時期であることの通知を表示する。
【０１２５】
なお、ＣＰＵ８４は、所定時間内にフォトセンサ８３からのオン信号が停止されたとき（すなわち、本体電極８１が退避位置に配置されたと判断したとき）に、現像カートリッジ２５が本体ケーシング２に装着されていると判断する。
【０１２６】
一方、新品の現像カートリッジ２５を装着した後に、たとえば、用紙Ｓの詰まり（ジャム）などによって、一旦、その現像カートリッジ２５を本体ケーシング２から離脱させ、再び本体ケーシング２に装着したときには、移動部材５３は、欠け歯ギヤ６４の欠け歯部７０がアジテータギヤ４５と対向する位置で停止されている。
【０１２７】
そのため、再装着において、ウォーミングアップ動作が実行されても、移動部材５３は回転駆動されず、新品検知動作は実施されない。このときには、カートリッジ電極５２が常に第１位置に配置されているため、ＣＰＵ８４は、常に、フォトセンサ８３からのオン信号を受信せず、本体電極８１が退避位置に配置されていると判断する。
【０１２８】
これにより、ＣＰＵ８４は、現像カートリッジ２５が本体ケーシング２に装着されていると判断する。また、ＣＰＵ８４は、その再装着された現像カートリッジ２５（旧品の現像カートリッジ２５）を、旧品であると判断する。
【０１２９】
そして、ＣＰＵ８４は、規定の画像形成枚数と、その新品と判断したときからの実際の画像形成枚数との比較を継続する。
６．作用効果
（１）このプリンタ１および現像カートリッジ２５によれば、図６に示すように、カートリッジ電極５２は、押圧部材５０がドラムカートリッジ２４の側板４３を押圧することにより生じる反力によって、第１位置から第２位置へ移動される。
【０１３０】
そのため、押圧部材５０と、ドラムカートリッジ２４の側板４３とを対向配置すれば、カートリッジ電極５２を現像カートリッジ２５のいずれの箇所に設けても、押圧部材５０がドラムカートリッジ２４の側板４３を押圧することにより生じる反力により、カートリッジ電極５２を移動させることができる。
【０１３１】
これにより、カートリッジ電極５２を移動させるための構成を、カートリッジ電極５２の近傍に設ける必要がなく、カートリッジ電極５２の配置の自由度を向上させることができ、ひいては、カートリッジ電極５２を検知する検知手段（本体電極８１、アクチュエータ８２およびフォトセンサ８３）の配置の自由度も向上させることができる。
【０１３２】
その結果、プリンタ１および現像カートリッジ２５の設計の自由度を高めることができる。
（２）また、このプリンタ１によれば、図６に示すように、カートリッジ電極５２に給電するための本体電極８１を利用して、現像カートリッジ２５の状態を判断することができる。
【０１３３】
そのため、現像カートリッジ２５の状態を判断するための部材を別途設けることなく、現像カートリッジ２５の部品点数を低減することができる。
（３）また、このプリンタ１によれば、本体電極８１の位置を検知することにより、簡易な構成で、本体ケーシング２内における現像カートリッジ２５の有無を検知することができる。
（４）また、このプリンタ１および現像カートリッジ２５によれば、図６（ｂ）に示すように、押圧部材５０の右面４０によって、ドラムカートリッジ２４の右側の側板４３を安定して押圧することができる。
（５）また、このプリンタ１および現像カートリッジ２５によれば、移動部材５３は、図４（ａ）に示すように、凸部６５と、凸部６５から左側に凹む凹部６６とを有している。
【０１３４】
そのため、簡易な構成で、押圧部材５０を左右方向に移動させることができる。
【０１３５】
また、凸部６５は、右側面視反時計回り方向上流側へ向かうに従って、右側へ傾斜される第１端面６７を有している。
【０１３６】
そのため、押圧部材５０を、第１端面６７に沿うように、円滑に右側に移動させることができる。
（６）また、このプリンタ１および現像カートリッジ２５によれば、図４（ｂ）に示すように、移動部材５３は、歯部６９と欠け歯部７０とを含む欠け歯ギヤ６４を備えている。
【０１３７】
そのため、移動部材５３を、確実に、所定の移動量で移動させることができる。
（７）また、このプリンタ１および現像カートリッジ２５によれば、移動部材５３は、右側面視反時計回り方向に回転可能に設けられている。
【０１３８】
そのため、簡易な構成で確実に、押圧部材５０を移動させることができる。
（９）また、このプリンタ１および現像カートリッジ２５によれば、押圧部材５０は、歯部６９に駆動力が伝達される前の状態で、押圧解除状態（図５（ａ）参照）となっており、歯部６９に駆動力が伝達されることにより、一旦、押圧状態（図５（ｂ）参照）に変位され、その後、再び押圧解除状態（図５（ａ）参照）に変位される。
【０１３９】
そのため、移動部材５３が所定の駆動量で移動されている間に、押圧部材５０を、押圧状態と押圧解除状態とに変位させることができる。
（１０）また、このプリンタ１および現像カートリッジ２５によれば、図５に示すように、現像カートリッジ２５は、押圧部材５０を左側へ付勢する圧縮ばね７８を備えている。
【０１４０】
そのため、押圧部材５０を確実に押圧解除状態に変位にさせることができる。
７．第２実施形態
図７を参照して、現像カートリッジ２５の第２実施形態を説明する。なお、第２実施形態において、上記した第１実施形態と同様の部材には同様の符号を付し、その説明を省略する。
（１）第２実施形態の構成
上記した第１実施形態では、移動部材５３を略円板形状に構成し、右側面視反時計回り方向に回転可能に設けたが、第２実施形態では、移動部材５３を略矩形平板形状に構成し、前後方向にスライド（直線移動）可能に設ける。
【０１４１】
詳しくは、給電ユニット３３は、移動部材９６と、移動部材９６に駆動力を入力するピニオンギヤ９８とを備えている。
【０１４２】
移動部材９６は、後側が開放された側面視略Ｕ字形状に形成されており、変位部９９と、欠け歯ギヤの一例としてのラック部１００とを備えている。
【０１４３】
変位部９９は、側面視略矩形の平板形状に形成されている。また、変位部９９の前端部は、後側へ向かうに従って右側へ傾斜されている。
【０１４４】
ラック部１００は、変位部９９の下端部から前側へ向かって延びる略杆形状に形成されている。ラック部１００の上面には、前端部から前後方向略中央までの間において、ギヤ歯が形成されている。ラック部１００において、ギヤ歯が形成されている部分が歯部９１であり、ギヤ歯が形成されていない部分が欠け歯部９２である。
【０１４５】
ピニオンギヤ９８は、両レール部９５間において、アジテータ軸４８の右端部に回転可能に支持されており、ラック部１００の歯部９１の前端部に上側から噛合されている。
（２）第２実施形態の動作
上記した第１実施形態と同様に、新品（未使用）の現像カートリッジ２５が本体ケーシング２に装着されると、ウォーミングアップ動作が開始されて、アジテータ４７が回転される。
【０１４６】
なお、図７（ａ）に示すように、新品（未使用）の現像カートリッジ２５が本体ケーシング２に装着されたときには、押圧部材５０は、移動部材９６の変位部９９の前側において、押圧解除位置に配置されている。
【０１４７】
そして、アジテータ４７が回転されると、アジテータ軸４８およびピニオンギヤ９８を介して、移動部材９６のラック部１００に駆動力が伝達され、移動部材９６が前側にスライドされる。
【０１４８】
すると、図７（ｂ）に示すように、押圧部材５０は、圧縮ばね７８の付勢力に抗して、変位部９９の前端部の傾斜に沿って右側へ移動されて、変位部９９の右面に乗り上げ、押圧位置に配置される。
【０１４９】
これにより、上記した第１実施形態と同様に、本体カップリング（図示せず）からの押圧力に抗して、現像カートリッジ２５が全体的に左側へ移動され、カートリッジ電極５２が、第２位置に配置される。
【０１５０】
そして、さらに移動部材５３が右側面視反時計回りに回転されると、押圧部材５０は、変位部９９の前側に外れて、左側への移動が許容される。
【０１５１】
すると、図７（ｃ）に示すように、押圧部材５０は、圧縮ばね７８の付勢力により左側へ押圧されて、押圧解除位置に配置される。
【０１５２】
これにより、上記した第１実施形態と同様に、本体カップリング（図示せず）からの押圧力により、現像カートリッジ２５が全体的に右側へ移動され、カートリッジ電極５２が、第１位置に配置される。
【０１５３】
また、ラック部１００の欠け歯部９２にピニオンギヤ９８が対向され、ラック部１００とピニオンギヤ９８との噛合が解除されて、移動部材９６のスライドが停止される。これにより、ウォーミングアップ動作が終了する。
（３）第２実施形態の作用効果
第２実施形態によれば、図７に示すように、移動部材９６は、前側に向かってスライド可能に設けられている。
【０１５４】
そのため、簡易な構成で確実に、カートリッジ電極５２を移動させることができる。
【０１５５】
また、第２実施形態においても、上記した第１実施形態と同様の作用効果を得ることができる。
８．第３実施形態
図８を参照して、現像カートリッジ２５の第３実施形態を説明する。なお、第３実施形態において、上記した第１実施形態と同様の部材には同様の符号を付し、その説明を省略する。
（１）第３実施形態の構成
上記した第１実施形態では、給電ユニット３３に、押圧部材５０を１つ設けたが、押圧部材５０の数は特に限定されず、例えば、第３実施形態では、押圧部材５０を、前後方向に間隔を隔てて２つ設ける。
【０１５６】
押圧部材５０は、上記した第１実施形態と同様に、左右方向に延びる略円柱形状に形成されている。
【０１５７】
また、給電ユニット３３は、各押圧部材５０に対して１つずつ、移動部材５３を備えている。
【０１５８】
そして、現像カートリッジ２５が新品（未使用）の状態では、前側の押圧部材５０（第１押圧部材の一例）に対応する移動部材５３は、その欠け歯ギヤ６４の歯部６９において、アジテータギヤ４５に対して後下側から噛合されている。また、前側の押圧部材５０に対応する移動部材５３の凸部６５は、前側の押圧部材５０に対して、右側面視反時計回り方向に約３０°の間隔を隔てて対向配置されている。
【０１５９】
また、後側の押圧部材５０（第２押圧部材の一例）に対応する移動部材５３は、その欠け歯ギヤ６４の歯部６９において、アジテータギヤ４５に対して前下側から噛合されている。また、後側の押圧部材５０に対応する移動部材５３の凸部６５は、後側の押圧部材５０に対して、右側面視反時計回り方向に約３０°の間隔を隔てて対向配置されている。
【０１６０】
なお、給電側カバー５４には、各押圧部材５０に対して１つずつ、押圧部材露出開口５９が形成されている。
（２）第３実施形態の動作
上記した第１実施形態と同様に、新品（未使用）の現像カートリッジ２５が本体ケーシング２に装着されると、ウォーミングアップ動作が開始されて、アジテータ４７が回転される。
【０１６１】
アジテータ４７が回転されると、アジテータ軸４８およびアジテータギヤ４５を介して、移動部材５３の欠け歯ギヤ６４に駆動力が伝達され、両移動部材５３が右側面視時計回りに回転される。
【０１６２】
すると、両押圧部材５０は、対応する移動部材５３の凸部６５に、同時に乗り上げて、押圧位置に配置される。
【０１６３】
これにより、上記した第１実施形態と同様に、本体カップリング（図示せず）からの押圧力に抗して、現像カートリッジ２５が全体的に左側へ移動され、カートリッジ電極５２が、第２位置に配置される。
【０１６４】
また、さらに両移動部材５３が右側面視時計回りに回転されると、両押圧部材５０は、対応する移動部材５３の凸部６５から、同時に外れて、押圧解除位置に配置される。
（３）第３実施形態の作用効果
第３実施形態によれば、２つの押圧部材５０が前後方向に互いに間隔を隔てて配置されており、それらが、同時に、押圧位置または押圧解除位置に配置される。
【０１６５】
そのため、前後の各押圧部材５０によって、ドラムカートリッジ２４の側板４３を前後方向に均一に押圧することができる。
【０１６６】
その結果、現像カートリッジ２５を左側へ移動させるときに、前後方向にバランスよく（均等に）移動させることができる。
【０１６７】
また、第３実施形態においても、上記した第１実施形態と同様の作用効果を得ることができる。
９．第４実施形態
図９を参照して、現像カートリッジ２５の第４実施形態を説明する。なお、第４実施形態において、上記した第３実施形態と同様の部材には同様の符号を付し、その説明を省略する。
（１）第４実施形態の構成
上記した第３実施形態では、各押圧部材５０に対応して、１つずつ移動部材５３を設け、各押圧部材５０を同時に移動させたが、第３実施形態では、１つの移動部材５３で、２つの押圧部材５０を同時に移動させる。
【０１６８】
詳しくは、図９（ａ）および図９（ｂ）に示すように、各押圧部材５０は、前後方向に延びる略杆形状の連結部１１１の前後方向両端部に１つずつ、一体的に設けられている。      
【０１６９】
詳しくは、現像カップリング３９を左右方向に投影したときに（図９（ａ）の投影面Ｐ参照）、前側の押圧部材５０（第１押圧部材の一例）は、現像カップリング３９の投影面Ｐに対して前側に配置され、後側の押圧部材５０（第２押圧部材の一例）は、前側の押圧部材５０とともに現像カップリング３９の投影面Ｐを挟むように、現像カップリング３９の投影面Ｐに対して後側に配置されている。
【０１７０】
また、連結部１１１は、その前後方向略中央において、連結部１１１の左面から左側へ突出する略円柱形状の当接部１１２を一体的に備えている。
【０１７１】
そして、現像カートリッジ２５が新品（未使用）の状態では、移動部材５３は、凹部６６において、当接部１１２に対向されている。
（２）第４実施形態の動作
上記した第１実施形態と同様に、新品（未使用）の現像カートリッジ２５が本体ケーシング２に装着されると、ウォーミングアップ動作が開始されて、アジテータ４７が回転される。
【０１７２】
アジテータ４７が回転されると、アジテータ軸４８およびアジテータギヤ４５を介して、移動部材５３の欠け歯ギヤ６４に駆動力が伝達され、移動部材５３が回転される。
【０１７３】
すると、当接部１１２が移動部材５３の凸部６５に乗り上げたときに、両押圧部材５０が一体的に押圧位置に配置される。
【０１７４】
これにより、上記した第１実施形態と同様に、本体カップリング（図示せず）からの押圧力に抗して、現像カートリッジ２５が全体的に左側へ移動され、カートリッジ電極５２が、第２位置に配置される。
【０１７５】
また、さらに移動部材５３が回転されると、当接部１１２が凸部６５から外れて、両押圧部材５０が一体的に押圧解除位置に配置される。
（３）第４実施形態の作用効果
第４実施形態においても、上記した第４実施形態と同様の作用効果を得ることができる。
１０．第５実施形態
図１０および図１１を参照して、現像カートリッジ２５の第５実施形態を説明する。なお、第５実施形態において、上記した第１実施形態と同様の部材には同様の符号を付し、その説明を省略する。
（１）第５実施形態の構成
上記した第１実施形態では、カートリッジ電極５２の移動を、本体電極８１およびアクチュエータ８２を介して、フォトセンサ８３によって検知することにより、ＣＰＵ８４において、現像カートリッジ２５の有無および新旧を判断している。
【０１７６】
しかし、第５実施形態では、図１０に示すように、駆動側カバー４１に、フォトセンサ１２１の検知光を遮光する被検知部の一例としての遮光板１２０を設け、現像カートリッジ２５の移動に伴う遮光板１２０の移動を、フォトセンサ１２１によって検知することにより、ＣＰＵ８４において、現像カートリッジ２５の有無および新旧を判断する。
【０１７７】
詳しくは、遮光板１２０は、駆動側カバー４１の前端部において、駆動側カバー４１の左面から左側へ突出する平面視略矩形の平板形状に形成されている。また、遮光板１２０の左右方向略中央には、前後方向に長手の長穴１１９が貫通形成されている。
【０１７８】
フォトセンサ１２１は、現像カートリッジ２５の左側近傍に配置され、検知光を発光する発光素子１２２と、検知光を受光する受光素子１２３とを備えている。発光素子１２２と受光素子１２３とは、遮光板１２０を上下方向から挟むように、互いに上下方向に間隔を隔てて対応配置されている。また、フォトセンサ１２１は、押圧部材５０が押圧位置に配置されて現像カートリッジ２５が左側へ移動されたときに、検知光が遮光板１２０の長穴１１９を通過するように、配置されている。
（２）第５実施形態の動作
第５実施形態では、本体ケーシング２内にプロセスカートリッジ１１が装着されていないときには、発光素子１２２からの検知光が受光素子１２３に受光されている。これにより、フォトセンサ１２１は、ＣＰＵ８４にオン信号を発信する。
【０１７９】
そして、ＣＰＵ８４は、この状態（検知光が受光素子１２３に受光されている状態）で、所定時間が経過すると（すなわち、所定時間内にフォトセンサ１２１からのオン信号が停止されないと）、現像カートリッジ２５が本体ケーシング２から離脱されていると判断する。
【０１８０】
そして、本体ケーシング２のトップカバー６を開放して、新品（未使用）の現像カートリッジ２５が装着されたプロセスカートリッジ１１を本体ケーシング２に前上側から挿入すると、図１１（ａ）に示すように、フォトセンサ１２１の検知光が、遮光板１２０の左端部によって遮光される。
【０１８１】
これにより、フォトセンサ１２１は、ＣＰＵ８４に対するオン信号の発信を停止する。すなわち、フォトセンサ１２１は、遮光板１２０が第１位置に配置されていることを検知する。
【０１８２】
すると、ＣＰＵ８４は、所定時間内にフォトセンサ１２１からのオン信号が停止されたときに、現像カートリッジ２５が本体ケーシング２に装着されたと判断する。
【０１８３】
そして、現像カートリッジ２５が本体ケーシング２に装着されると、上記した第１実施形態と同様に、本体ケーシング２内の本体カップリング（図示せず）が駆動ユニット３２の現像カップリング３９に相対回転不能に嵌合される。
【０１８４】
すると、現像カートリッジ２５は、本体カップリング（図示せず）によって右側へ押圧されて、ドラムカートリッジ２４の右側の側板４３に対して位置決めされる。なお、同時に、ドラムカートリッジ２４の右側の側板４３は、本体ケーシング２の右側壁８０に対して位置決めされる。
【０１８５】
そして、本体カップリング（図示せず）を介して、現像カップリング３９に本体ケーシング２から駆動力が入力され、ウォーミングアップ動作が開始される。
【０１８６】
すると、図１１（ｂ）に示すように、押圧部材５０は、圧縮ばね７８の付勢力に抗して、軸部７６の右端部が給電側カバー５４の押圧部材露出開口５９から突出するように、押圧位置に配置される。
【０１８７】
これにより、押圧部材５０は、軸部７６の右端部において、ドラムカートリッジ２４の右側の側板４３の内面を押圧する。
【０１８８】
すると、ドラムカートリッジ２４の右側の側板４３からの反力により、押圧部材５０の右端部が左側へ押圧されることにより、本体カップリング（図示せず）からの押圧力に抗して、現像カートリッジ２５が全体的に左側へ移動される。これにより、遮光板１２０は、左側へ移動されて、第２位置に配置される。
【０１８９】
すると、発光素子１２２からの検知光が、遮光板１２０の長穴１１９を通過して、受光素子１２３に受光される。
【０１９０】
これにより、フォトセンサ１２１は、ＣＰＵ８４に対してオン信号を発信する。すなわち、フォトセンサ１２１は、遮光板１２０が第２位置に配置されたことを検知する。
【０１９１】
すると、ＣＰＵ８４は、フォトセンサ１２１からのオン信号を受信したことにより、遮光板１２０が第１位置から第２位置へ移動されたと判断する。
【０１９２】
そして、ウォーミングアップ動作が終了して、押圧部材５０が押圧解除位置に配置されると、押圧部材５０は、ドラムカートリッジ２４の右側の側板４３に対する押圧を解除する。
【０１９３】
すると、現像カートリッジ２５は、本体カップリング（図示せず）によって右側へ押圧されて、再び、ドラムカートリッジ２４の右側の側板４３に対して位置決めされる。これにより、カートリッジ電極５２は、右側へ移動されて第１位置に配置される。
【０１９４】
すると、発光素子１２２からの検知光が、遮光板１２０の左端部によって遮光される。
【０１９５】
これにより、フォトセンサ８３は、ＣＰＵ８４に対するオン信号の出力を停止する。すなわち、フォトセンサ８３は、遮光板１２０が第１位置に配置されたことを検知する。
【０１９６】
すると、ＣＰＵ８４は、フォトセンサ８３からのオン信号が停止したことにより、遮光板１２０が第２位置から第１位置へ移動されたと判断する。
【０１９７】
そして、ＣＰＵ８４は、ウォーミングアップ動作が開始された後に、遮光板１２０が第１位置から第２位置へ移動され、その後、再び第１位置に移動されたと判断したときに、現像カートリッジ２５が新品（未使用）であると判断する。
（３）第５実施形態の作用効果
第５実施形態においても、上記した第１実施形態と同様の作用効果を得ることができる。
１１．その他の変形例
上記した第５実施形態では、遮光板１２０の左右方向略中央に、前後方向に長手の長穴１１９を貫通形成したが、受光素子１２３への検知光を遮光できれば、遮光板１２０の形状は特に限定されない。
【０１９８】
例えば、遮光板１２０に長穴１１９を形成せず、図１２（ａ）に示すように、遮光板１２０が第１位置に配置されているとき（現像カートリッジ２５が、ドラムカートリッジ２４の右側の側板４３に位置決めされているとき）に、遮光板１２０が検知光の光路から右側に退避され、図１２（ｂ）に示すように、遮光板１２０が第２位置に配置されているとき（現像カートリッジ２５が、ドラムカートリッジ２４の右側の側板４３に位置決めされているとき）に、遮光板１２０が検知光の光路に干渉するように構成してもよい。
【０１９９】
また、図１３に示すように、遮光板１２０の代わりに、検知光を透過する透光板１２５を設け、透光板１２５にミラー１２４を設けて、第１位置において、検知光を透過（図１３（ａ）参照）し、第２位置において、検知光を反射（図１３（ｂ）参照）するように構成してもよい。
【０２００】
また、上記した第１実施形態では、本体カップリング（図示せず）の右側からの嵌合によって、現像カートリッジ２５を右側へ押圧して、現像カートリッジ２５をドラムカートリッジ２４の右側の側板４３に位置決めしている。
【０２０１】
しかし、現像カートリッジ２５を右側へ押圧する部材は、特に限定されず、例えば、図１４に示すように、ドラムカートリッジ２４の左側の側壁の内面に、圧縮ばね１３２によって右側へ付勢される当接部材１３１を設け、圧縮ばね１３２の付勢力により、現像カートリッジ２５を右側へ押圧してもよい。
【０２０２】
また、上記した第１実施形態では、押圧部材５０および移動部材５３は、現像カートリッジ２５の右側に配置されていたが、現像カートリッジ２５の左側に設けても、上記した第１実施形態と同様の効果を得ることができる。
【０２０３】
また、上記した第１実施形態では、押圧部材５０がドラムカートリッジ２４の右側の側板４３の内面を押圧していたが、本体ケーシング２の内壁（図示せず）を押圧しても、上記した第１実施形態と同様の効果を得ることができる。
【符号の説明】
【０２０４】
１      プリンタ
２      本体ケーシング
２５    現像カートリッジ
３１    カートリッジフレーム
３４Ｌ  左壁
３４Ｒ  右壁
３９    現像カップリング
４０    右面
４３    側板
５０    押圧部材
５２    カートリッジ電極
５３    移動電極
６４    欠け歯ギヤ
６５    凸部
６６    凹部
６７    第１端面
６９    歯部
７０    欠け歯部
７８    圧縮ばね
８１    本体電極
８２    アクチュエータ
８３    フォトセンサ
８４    ＣＰＵ
９１    歯部
９２    欠け歯部
９６    移動部材
１００  ラック部
１２０  遮光板
１２１  フォトセンサ
１２５  透光板
【図１】
0005919705.tif 000002
【図２】
0005919705.tif 000003
【図３】
0005919705.tif 000004
【図４】
0005919705.tif 000005
【図５】
0005919705.tif 000006
【図６】
0005919705.tif 000007
【図７】
0005919705.tif 000008
【図８】
0005919705.tif 000009
【図９】
0005919705.tif 000010
【図１０】
0005919705.tif 000011
【図１１】
0005919705.tif 000012
【図１２】
0005919705.tif 000013
【図１３】
0005919705.tif 000014
【図１４】
0005919705.tif 000015